(57)【特許請求の範囲】
【請求項１】
円筒形状をした絶縁性の部材であって、その円筒の中心軸に平行に電球の口金を点灯に必要な規定量だけ前記部材内部に挿入した電球の装着時におけるこの電球の口金の先端の導体接触片の近傍に前記中心軸と直交するように円形の仕切板を配置しており、この仕切板によって前記絶縁性の部材の内壁によって仕切られた空間領域を前記電球の口金が挿入される上部空間部分と、これ以外の部分としての下部空間部分に仕分けすると共に、前記円形の仕切板における前記内壁と接する円周部分のそれぞれ間隔を置いて配置された円弧部分をそれぞれ輪郭の一部とする所定のサイズの穴を穿ったレセプタクル・ソケット本体と、
このレセプタクル・ソケット本体の前記上部空間部分を形成する前記内壁における前記電球の口金が挿入される側の端部からこの口金の挿入方向に沿って前記仕切板の手前の所定の距離の位置までの範囲で、かつ射出成形で前記穴を通して前記中心軸方向に所定の形状の部品を離型する際のその部品として前記内壁から突出し、前記電球の口金の環状接触部を構成する螺旋状の凹部とそれぞれ間隔を置いて接触するように複数個配置された絶縁性の樹脂からなる絶縁体突起部と、
前記所定の距離の位置よりも更に前記仕切板に近い位置に配置され、前記電球の装着時における前記環状接触部と接触することで前記電球に電源を供給する一方の電線と接続された側部導体突出片と、
前記仕切板の中央部に配置され、前記電球の装着時にその先端接触部と接触して前記電球に電源を供給する他方の電線と接続された先端導体接触片
とを具備することを特徴とするランプレセプタクル・ソケット。
【請求項２】
前記側部導体突出片は、前記仕切板に開けられた穴を貫通して前記上部空間部分と下部空間部分を跨ぐような帯状の金属片からなり、その中間部分に左右に羽根状に広がるように突出した突出部が形成されていて、下部空間部分に位置する端部には前記電球に電圧を印加する電線の一方が接続されると共に、左右に突出した前記突出部は前記仕切板に所定の間隔で配置された１対の突起状の固定片に挟持されるようにしてその位置を固定されることを特徴とする請求項１記載のランプレセプタクル・ソケット。
【請求項３】
前記先端導体接触片は、前記仕切板に開けられた穴を貫通して前記上部空間部分と下部空間部分を跨ぐような金属片からなり、その中間部分に左右に羽根状に広がるように突出した突出部が形成されていて、下部空間部分に位置する端部には前記電球に電圧を印加する電線の他方が接続されると共に、左右に突出した前記突出部は前記仕切板に所定の間隔で配置された１対の突起状の固定片に挟持されるようにしてその位置を固定されることを特徴とする請求項１記載のランプレセプタクル・ソケット。
【請求項４】
前記上部空間部分の径は絶縁体突起部の下側の方が上側よりも大径となっており、これにより生じた空間としての懐部分に前記側部導体突出片の少なくとも一部が配置されていることを特徴とする請求項１記載のランプレセプタクル・ソケット。
【発明の詳細な説明】
【０００１】
【発明の属する技術分野】
本発明は電球を取り付けるランプレセプタクルあるいはソケットからなるランプレセプタクル・ソケットに係わり、特に電球を取り付ける際の感電を防止したランプレセプタクル・ソケットに関する。
【０００２】
【従来の技術】
ランプレセプタクル・ソケットは、電球を使用した提灯あるいは裸電球のみを取り付ける天井部分等にかなり昔から多用されている代表的な電気器具である。
【０００３】
図１０は、従来のこのようなランプレセプタクル・ソケットの一例についてその断面構造を表わしたものである。ランプレセプタクル・ソケット１１のレセプタクル・ソケット本体１２はその台座部分１２Ａに固定用のネジを挿入するネジ穴が開いている。レセプタクル・ソケット本体１２の内部は仕切り部材１３によって仕切られており、上部空間部分１４には円筒状でその表面が図示しない電球の口金の環状接触部の凹凸にそって凹凸形状となった受金１５が配置されている。受金１５の底部には、この受金を仕切り部材１３に固定すると共に下部空間部分１６側に図示しない電源供給部から引き出された電線１７の端部に固定されたカシメ金具１８をこれに電気的に接続させる固定金具１９が配置されている。また、受金１５の底部は一部開口しており、この部分には電球の先端接触部に接触する先端接触片２１が突出している。この先端接触片２１の基部は、同様に仕切り部材１３に固定金具２２によって固定されている。この固定金具２２には、前記した電源供給部から引き出された他の電線２３のカシメ金具２４が固定金具２２と共に固定されている。
【０００４】
このように従来のランプレセプタクル・ソケット１１では、受金１５の上端部とレセプタクル・ソケット本体１２の上端部の距離ｄ1が比較的短く設定されている。これは、受金１５の高さ方向の長さｈ1を比較的長くとって電球の取り付けを安定して行えるようにするためである。
【０００５】
【発明が解決しようとする課題】
ところが、従来のこのようなランプレセプタクル・ソケット１１では、電球を取り付けようとするときに感電の生じるおそれがあった。
【０００６】
図１１は電球を取り付ける状態で感電を生じさせた状態を示したものである。電球３２を持ってランプレセプタクル・ソケット１１の上部空間部分１４から口金の環状接触部３３を差し込むと、この環状接触部３３が受金１５に差し込まれ始めたこの初期段階で環状接触部３３の上部はレセプタクル・ソケット本体１２の上端部からかなりの部分が露出している。この状態では既に環状接触部３３は受金１５と接触しているので、前記した電源がオフとなっていない限り環状接触部３３は電源側の電位に保たれている。したがって、取扱者が環状接触部３３を持つような形で電球３２をランプレセプタクル・ソケット１１に取り付けようとすると、指３１に電圧が印加されて感電が生じることになる。
【０００７】
エジソンタイプと呼ばれる図１１に示すタイプの電球３２は、環状接触部３３をランプレセプタクル・ソケット１１にねじ込みながら取り付けたり、取り外す。したがって、このような感電事故が発生するおそれがある。もちろん、既に説明したように受金１５の高さ方向の長さｈ1を短くすると電球３２をより深い位置まで挿入した段階で口金の環状接触部３３が受金１５に接触するので感電のおそれはその分だけ低くなる。しかしながら、電球３２の固定が十分でなくなるという問題が発生することになる。
【０００８】
そこで本発明の目的は、電球の口金を確実に固定し、かつ感電を防止することのできるランプレセプタクル・ソケットを提供することにある。
【０００９】
【課題を解決するための手段】
請求項１記載の発明では、（イ）円筒形状をした絶縁性の部材であって、その円筒の中心軸に平行に電球の口金を点灯に必要な規定量だけ前記した部材内部に挿入した電球の装着時におけるこの電球の口金の先端の導体接触片の近傍に中心軸と直交するように円形の仕切板を配置しており、この仕切板によって前記した絶縁性の部材の内壁によって仕切られた空間領域を前記した電球の口金が挿入される上部空間部分と、これ以外の部分としての下部空間部分に仕分けすると共に、前記した円形の仕切板における前記した内壁と接する円周部分のそれぞれ間隔を置いて配置された円弧部分をそれぞれ輪郭の一部とする所定のサイズの穴を穿ったレセプタクル・ソケット本体と、（ロ）このレセプタクル・ソケット本体の前記した上部空間部分を形成する前記した内壁における前記した電球の口金が挿入される側の端部からこの口金の挿入方向に沿って前記した仕切板の手前の所定の距離の位置までの範囲で、かつ射出成形で前記した穴を通して中心軸方向に所定の形状の部品を離型する際のその部品として前記した内壁から突出し、前記した電球の口金の環状接触部を構成する螺旋状の凹部とそれぞれ間隔を置いて接触するように複数個配置された絶縁性の樹脂からなる絶縁体突起部と、（ハ）前記した所定の距離の位置よりも更に前記した仕切板に近い位置に配置され、前記した電球の装着時における前記した環状接触部と接触することで前記した電球に電源を供給する一方の電線と接続された側部導体突出片と、（ニ）前記した仕切板の中央部に配置され、前記した電球の装着時にそのした先端接触部と接触して前記した電球に電源を供給する他方の電線と接続された先端導体接触片とをランプレセプタクル・ソケットに具備させる。
【００１７】
【発明の実施の形態】
【００１８】
【実施例】
以下実施例につき本発明を詳細に説明する。
【００１９】
図１は本発明の一実施例におけるランプレセプタクル・ソケットを斜め上方から見たものである。このランプレセプタクル・ソケット５１は、筒状でその下部がフリンジ状となった台座部５２を有する樹脂を一体成型したレセプタクル・ソケット本体５３を有している。このレセプタクル・ソケット本体５３の中ほどの高さの箇所には、このレセプタクル・ソケット本体５３と一体成型された仕切り部５４が形成されており、これよりも上部が上部空間部分５５を形成している。また、仕切り部５４よりも下部の部分は、この図には示されていないが下部空間部分５６を形成している。レセプタクル・ソケット本体５３の内面で上部空間部分５５と接する箇所には、半球状の第１〜第３の絶縁体突起部５７1〜５７3がそれぞれ１２０度ずつの間隔を置いて突出している。ただし、この図１では第３の絶縁体突起部５７3は隠れており、図示されていない。
【００２０】
また、仕切り部５４には中心片５８と接触片５９の２つの金属片が組み込まれている。ここで中心片５８とは、図１０に示した先端接触片２１と対応するもので、図１１に示した電球３２の最下端に位置する先端接触部が半球状に突出した突出部５８Ａと接触するようになっている。接触片５９は、半球状の３つの絶縁体突起部５７1〜５７3と共に図１０に示した受金１５の役割を有している。すなわち、図１１に示した電球３２の口金の環状接触部３３のねじの谷の部分とそれぞれ局部的に螺合する形状を有している。このうち第１〜第３の絶縁体突起部５７1〜５７3は、レセプタクル・ソケット本体５３と一体的に樹脂で形成されている。位置的に仕切り部５４に近い箇所に配置された接触片５９は、電球の口金の環状接触部３３と電気的に接触するようになっている。
【００２１】
なお、図１に示した仕切り部５４には、第１〜第３の絶縁体突起部５７1〜５７3にそれぞれ対応する位置に穴６１が開けられている。これらの穴６１は、樹脂を射出成型して第１〜第３の絶縁体突起部５７1〜５７3を形成するときの型を仕切り部５４の下から該当箇所まで突き通す際に使用されるものである。
【００２２】
図２は、このランプレセプタクル・ソケットを上部から見たものである。第１〜第３の絶縁体突起部５７1〜５７3が中心片５８の突出部５８Ａをほぼ中心として１２０度ずつの回転位置に相当するレセプタクル・ソケット本体５３の内面に配置されていることが分かる。
【００２３】
図３は、このランプレセプタクル・ソケットを第１の凹部とレセプタクル・ソケット本体の中心を通る面で垂直に切断した状態を表わしたものである。レセプタクル・ソケット本体５３の内面に配置された第１〜第３の絶縁体突起部５７1〜５７3（ただし第２の絶縁体突起部５７2は参考位置を図示。）は図１１に示した電球３２の口金の環状接触部３３のねじの谷の部分が回転角度により上下方向の位置を変化させているのに伴って、それらの上下方向の位置を異ならせている。中心片５８と接触片５９の２つの金属片は、仕切り部５４に形成された穴６２および凹凸部に掛合する形状に加工されており、ネジや接着剤を使用することなく固定される。このとき、接触片５９における上部空間部分５５の中心方向に突出した折り曲げ部５９Ａが第１〜第３の絶縁体突起部５７1〜５７3と共に電球３２の口金の環状接触部３３と接触することになる。
【００２４】
図４は、中心片の形状を表わしている。帯状の形状を有しかつ屈曲した中心片５８の一端側には突出部５８Ａが形成されており、この部分（図では裏側が示されている）が電球の先端接触部に接触する。他端部には電線挿入用穴５８Ｂが形成されており、この部分に図３に示した電線７１を構成する一方の線７１Ａの金属芯が通されて半田付けされることになる。中心片５８の中央部分には左右に羽根状に広がるように突出した突出部５８Ｃ、５８Ｄが形成されている。
【００２５】
一方、図５は接触片の形状を表わしたものである。帯状の形状を有しかつ屈曲した接触片５９の一端近傍は折り曲げ部５９Ａを形成していることは既に説明した。他端部には電線挿入用穴５９Ｂが形成されており、この部分に図３に示した電線７１を構成する他方の線７１Ｂの金属芯が通されて半田付けされる。接触片５９の中央部分には左右に羽根状に広がるように突出した突出部５９Ｃ、５９Ｄが形成されている。
【００２６】
図３から了解されるように本実施例のランプレセプタクル・ソケット５１では、図１１に示した電球３２を取り付けるときにこれをレセプタクル・ソケット本体５３に挿入していくと、まず第３の絶縁体突起部５７3がその口金の環状接触部３３に接触し、続いて第１および第２の絶縁体突起部５７1、５７2が順番に接触している。しかしながら、これら第１〜第３の絶縁体突起部５７1〜５７3はレセプタクル・ソケット本体５３と一体的に形成された樹脂であるため、この状態で取扱者の指３１（図１１参照）が万一、口金の環状接触部３３と接触していても感電は生じない。電球３２が更にレセプタクル・ソケット本体５３に押し込まれていくと、口金の環状接触部３３の露出がなくなり、指３１がこれに接触することは不可能となる。電球３２が更にレセプタクル・ソケット本体５３に押し込まれた時点で初めて口金の環状接触部３３が接触片の折り曲げ部５９Ａと接触する。そして最終的に先端接触部が中心片の突出部５８Ａと電気的に接触する状態となり、電球の取り付けが完了する。
【００２７】
図６は、図１に対応するものでランプレセプタクル・ソケットを上下逆にして下部空間部分５６の側から見たものである。仕切り部５４からは垂直にレセプタクル・ソケット本体５３の最下端位置まで固定用支柱８１が突出している。固定用支柱８１にはネジ止め用の穴８２が開けられている。仕切り部５４には、それぞれ中心片５８と接触片５９を下部空間部分５６側から押し込んで、図４あるいは図５に示す突出部５８Ｃ、５８Ｄ、５９Ｃ、５９Ｄを両側から固定して挟持する固定片８３Ａ、８３Ｂ、８４Ａ、８４Ｂが設けられている。
【００２８】
図７は、本実施例のランプレセプタクル・ソケットを成型する際に下型が配置された状態を表わしたものである。レセプタクル・ソケット本体５３は絶縁体突起部５７の突出位置を境としてその上部の内面５３Ａよりも下部の内面５３Ｂの方が奥にあり、この後者の部分の内径の方が大きくなっている。レセプタクル・ソケット本体５３から突出した第１〜第３の絶縁体突起部５７1〜５７3は、下型８５と図示しない上型を上下に挟み込んだ押切部によって形成するが、この際の下型８５の上下方向に突出した凹部形成部８５Ａの機械的強度を十分なものにすることができる。
【００２９】
図８は本実施例のレセプタクル・ソケット本体と対比するために下型が配置される他の例を示したものである。この図８に示した例でレセプタクル・ソケット本体５３′の内面の直径は、絶縁体突起部５７の突出位置を境としてその上部と下部が同一となっている。このため、下型８５′の上下方向に突出した凹部形成部８５Ａ´は絶縁体突起部５７の突出方向の長さが短くなっており、図７の実施例と比べると十分な機械的強度を確保することができない。
【００３０】
図９は、図７に示した下型を使用して作成したランプレセプタクル・ソケットにおける電球の環状接触部と接触片の接触の様子を表わしたものである。本実施例のランプレセプタクル・ソケット５１では図７で説明したように絶縁体突起部５７の下方部分が深く抉り取られるようになっており、レセプタクル・ソケット本体５３のこの内面５３Ｂが大径となっている。したがって、この部分の空間としての懐（ふところ）部分が広くなった結果として、電球の口金の環状接触部３３と接触する接触片５９をこの懐部分に余裕度をもって取り付けることができる。これにより次の利点が生じる。
【００３１】
（ａ）折り曲げ部５９Ａを断面がコ字状になるように折り曲げることで、電球の取り付けの際に環状接触部３３が接触片５９を内面５３Ｂ方向に強く押し付けられた場合でも、折り曲げ部５９Ａの先端が弾性的に内面５３Ｂと接触する。このため、接触片５９の耐久力が増して、その変形を防ぎ、ランプレセプタクル・ソケット５１の信頼性を向上させることができる。また、（ｂ）接触片５９の折り曲げ部５９Ａに至る傾斜部５９Ｅの部分を長くとることができる。この結果として、接触片５９の折り曲げ部５９Ａをランプレセプタクル・ソケット５１の径方向（図で矢印方向９１）に移動させる距離をより大きくとることができ、そのバネ性を高めることができる。これは、電球の取り付けの際の環状接触部３３の矢印方向９１の配置のバラツキに余裕を持って対応できることを意味しており、電球の取り付けが容易かつ確実となる利点を生じることになる。
【００３２】
なお、以上説明した実施例では中心片５８と接触片５９の他端側を電線と半田付けしたが、これに限るものではない。たとえばこれらの他端側と電線をカシメるようにしてもよいし、他の手段によって電気的に接続してもよい。また、実施例では第１〜第３の絶縁体突起部５７1〜５７3を形成したが、これらの個数は適宜増減することは構わない。更に実施例では中心片５８と接触片５９を複雑な形状に加工することによってこれらをレセプタクル・ソケット本体５３に特別の固定手段を使用することなく固定したが、従来と同様にネジ等の固定手段を使用してこれらを固定するようにしてもよい。更に実施例では第１〜第３の絶縁体突起部５７1〜５７3をそれぞれレセプタクル・ソケット本体５３の内面から半球状に突出する形状としたが、電球の口金の環状接触部のねじと螺合する形状であればこれに限らないことは当然である。
【００３３】
【発明の効果】
以上説明したように請求項１記載の発明によれば、筒状のレセプタクル・ソケット本体の仕切板よりも電球の口金が装着される側に位置する上部空間部分を形成する筒の内面で電球の口金の環状接触部を構成する螺旋状の凹部にそれぞれ間隔を置いて部分的に螺合するように絶縁性の内壁部分から突出し、かつこれらの突出部位が電球の口金の挿入方向において互いに重なり合わないように複数個の絶縁性の絶縁体突起部を配置してねじ山の代わりにすると共に、これらの絶縁体突起部よりも仕切板に近い位置であって口金の環状接触部の螺旋状の凹部に対応する位置に側部導体突出片を配置することにした。これにより、電球をランプレセプタクル・ソケットの上部空間部分に挿入するときに口金の環状接触部はまず絶縁体突起部と係合するので、この時点で口金に指を触れていても感電することがない。また口金の環状接触部はレセプタクル・ソケット本体にかなり挿入された時点で初めて側部導体突出片と接触し電圧が印加されるので、このとき口金はレセプタクル・ソケット本体内に押し込まれており感電のおそれがなくなる。しかも、口金の環状接触部と接触する金属は側部導体突出片だけで済むので、金属材料の使用量を減少させ、この分だけコストダウンを図ることができる。
【００３４】
また請求項２記載の発明によれば、側部導体突出片は、仕切板に開けられた穴を貫通して上部空間部分と下部空間部分を跨ぐような帯状の金属片からなり、その中間部分に左右に羽根状に広がるように突出した突出部が形成されていて、下部空間部分に位置する端部には電球に電圧を印加する電線の一方が接続されると共に、左右に突出した突出部は仕切板に所定の間隔で配置された１対の突起状の固定片に挟持されるようにしてその位置を固定される。したがって、従来のようにネジ等で電球の口金の環状接触部と螺合する金属部分を固定する必要がなく、作業工程が簡略化する。
【００３５】
更に請求項３記載の発明によれば、先端導体接触片は、仕切板に開けられた穴を貫通して上部空間部分と下部空間部分を跨ぐような金属片からなり、その中間部分に左右に羽根状に広がるように突出した突出部が形成されていて、下部空間部分に位置する端部には電球に電圧を印加する電線の他方が接続されると共に、左右に突出した突出部は仕切板に所定の間隔で配置された１対の突起状の固定片に挟持されるようにしてその位置を固定される。したがって、従来のようにネジ等で電球の環状接触部と接触する金属部分を固定する必要がなく、作業工程が簡略化する。
【００３６】
また、請求項４記載の発明によれば、絶縁体突起部の下側の方のランプレセプタクル・ソケット本体の内面をこれよりも上側の内面よりも大径としたので、側部導体突出片を電球に対して余裕を持って配置することができ、その耐久力を高めると共に、電球の取り付けの際の挿入方向のバラツキにも余裕を持って対応できる。更に、絶縁体突起部を樹脂で形成する際の下型をこの大径にした分だけ太くすることができ、その耐久性も高めることができる。
【図面の簡単な説明】
【図１】本発明の一実施例におけるランプレセプタクル・ソケットを斜め上方から見た斜視図である。
【図２】本実施例のランプレセプタクル・ソケットを上部から見た平面図である。
【図３】本実施例のランプレセプタクル・ソケットを第１の凹部とレセプタクル・ソケット本体の中心を通る面で垂直に切断した状態を表わした断面図である。
【図４】本実施例で使用する中心片の形状を表わした斜視図である。
【図５】本実施例で使用する接触片の形状を表わした斜視図である。
【図６】本実施例でランプレセプタクル・ソケットを上下逆にして下部空間部分の側から見た斜視図である。
【図７】実施例のランプレセプタクル・ソケットを成型する際に下型が配置された状態を表わした要部端面図である。
【図８】本実施例のレセプタクル・ソケット本体と対比するために下型が配置される他の例を示した要部端面図である。
【図９】本実施例のランプレセプタクル・ソケットにおける電球の環状接触部と接触片の接触の様子を表わした端面図である。
【図１０】従来のこのようなランプレセプタクル・ソケットの一例についてその断面構造を表わした断面図である。
【図１１】従来における電球取り付けの際に感電の生じた状態を示した一部断面説明図である。
【符号の説明】
５１  ランプレセプタクル・ソケット
５３  レセプタクル・ソケット本体
５３Ａ、５３Ｂ  （レセプタクル・ソケット本体の）内面
５４  仕切り部
５５  上部空間部分
５６  下部空間部分
５７1  第１の凸部
５７2  第２の凸部
５７3  第３の凸部
５８  中心片
５９  接触片
７１  電線
【図１】
0004346203.tif 000002
【図２】
0004346203.tif 000003
【図３】
0004346203.tif 000004
【図４】
0004346203.tif 000005
【図５】
0004346203.tif 000006
【図６】
0004346203.tif 000007
【図７】
0004346203.tif 000008
【図８】
0004346203.tif 000009
【図９】
0004346203.tif 000010
【図１０】
0004346203.tif 000011
【図１１】
0004346203.tif 000012